(57)【要約】【課題】ＡＣアダプタを使用できない場合において、音楽再生時には電話機能に使用する内部電池以外の電池を使用するようにし、内部電池の蓄積電力の減少を抑えることができる携帯型電子機器を提供する。【解決手段】リモコン付きヘッドホン２１０側に外部電池２１１を設け、ＡＣアダプタ２０９が接続されていない状態で、音楽再生を行うときは内部電池２０３から外部電池２１１に切り替え、音楽再生系回路２０１ｂに外部電池２１１からの電力を供給する制御などを行う切り替え部２０５および電源制御部２０４を携帯電話装置２０１に設けた。音楽再生時には外部電池２１１が使用されるので内部電池２０３の蓄積電力の減少を抑えることができ、音楽再生をした後でも、電話機能を使用することが可能になる。【選択図】      図２
2004164263.tif 000002
【特許請求の範囲】
【請求項１】
所定機能を実現するための所定系回路、付属機能を実現するための付属系回路、および外部電源により充電可能で前記各回路に電力を供給する内部電池を備えた本体装置と、この本体装置に接続可能な付属装置とから構成される携帯型電子機器において、前記付属装置側に外部電池を設け、前記外部電源が接続されていない状態で、前記付属機能を動作させるときは前記本体装置の電源として用いられる電池を前記内部電池から前記外部電池に切り替え、少なくとも前記付属系回路に前記外部電池からの電力を供給する制御を行うと共に、前記外部電源が接続されたときは、前記外部電池に代わり前記外部電源からの電力を前記所定系回路と前記付属系回路と前記内部電池に供給する制御を行う電源切替制御手段を前記本体装置に設けたことを特徴とする携帯型電子機器。
【請求項２】
携帯電話機能を実現するための電話系回路、音楽再生機能を実現するための音楽再生系回路、および外部電源により充電可能で前記各回路に電力を供給する内部電池を備えた携帯電話装置と、この携帯電話装置に接続可能な音声発生装置とから構成される携帯型電子機器において、前記音声発生装置側に外部電池を設け、前記外部電源が接続されていない状態で、音楽再生を行うときは前記携帯電話装置の電源として用いられる電池を前記内部電池から前記外部電池に切り替え、少なくとも前記音楽再生系回路に前記外部電池からの電力を供給する制御を行うと共に、前記外部電源が接続されたときは、前記外部電池に代わり前記外部電源からの電力を前記電話系回路と前記音楽再生系回路と前記内部電池に供給する制御を行う電源切替制御手段を前記携帯電話装置に設けたことを特徴とする携帯型電子機器。
【請求項３】
前記外部電池より一定の電圧を生成する一定電圧生成手段を前記音声発生装置または前記携帯電話装置に設けたことを特徴とする請求項２に記載の携帯型電子機器。
【請求項４】
前記外部電池の出力電圧もしくは出力電流を検出する外部電池出力検出手段を前記音声発生装置または前記携帯電話装置に設けたことを特徴とする請求項２に記載の携帯型電子機器。
【請求項５】
前記外部電池出力検出手段により検出された前記外部電池の出力電圧もしくは出力電流の値が予め定めた値以下になると、ユーザに通知する通知手段を前記音声発生装置または前記携帯電話装置に設けたことを特徴とする請求項４に記載の携帯型電子機器。
【発明の詳細な説明】
【０００１】
【発明の属する技術分野】
本発明は、例えば、電話機能および音楽再生機能を有した携帯電話装置と、この携帯電話装置に接続可能なヘッドホンとから構成される携帯型電子機器に関する。
【０００２】
【従来の技術】
図５は従来の携帯型電子機器の電気的構成を示すブロック図である。図５において、５０１は本体装置としての携帯電話装置を示し、５０９は携帯電話装置５０１に接続可能な付属装置としてのリモコン付きヘッドホンを示す。携帯電話装置５０１は、この装置内の各回路などを制御するＣＰＵ５０２、この装置内の各回路に電力を供給する内部電池５０３と、この内部電池５０３を充電するための充電制御を行うとともに装置内の各回路に電力を供給するための制御を行う電源制御部５０４とを備えている。なお、電源制御部５０４の機能の一部はＣＰＵ５０２により制御される。
【０００３】
また、携帯電話装置５０１は、ＣＰＵ５０２により制御され携帯電話に関する情報などを表示する表示部５０５と、図示しないメモリに記憶された音楽用データをＣＰＵ５０２を介して入力し音声信号を生成する音声生成部５０６と、この音声生成部５０６で生成された音声信号を音声化してヘッドホンなどで聴くことができるように音声信号を増幅するアンプ５０７とを備えている。５０８は携帯電話装置５０１に内蔵された内部電池５０３に電力を供給するための外部電源であるＡＣアダプタである。
【０００４】
リモコン付きヘッドホン５０９は、アンプ５０７より出力された音声信号を音声化するヘッドホン５１１と、携帯電話装置５０１に対して操作を行うことのできるリモコン制御部５１０とを備えている。５１２は携帯電話装置５０１とリモコン付きヘッドホン５０９を接続するためのケーブルである。
【０００５】
このように構成された携帯電話装置５０１およびリモコン付きヘッドホン５０９において音楽を再生する場合、ＣＰＵ５０２は、図示しないメモリに記憶された音楽データを読み出し、この音楽データを音生成部５０６で音声信号にしアンプ５０７に入力する。アンプ５０７は、入力された音声信号を増幅し、この増幅した音声信号をヘッドホン５１１に与え、これによりヘッドホン５１１は駆動して音楽の音声を出力し、ユーザは音楽を聴くことができる。この時、携帯電話装置５０１内のＣＰＵ５０２、表示部５０５、音声生成部５０６、およびアンプ５０７の動作電力は、内部電池５０３により供給される。
【０００６】
図６は特許文献１に記載の携帯電話機付きヘッドホンを示す斜視図である。この携帯電話機付きヘッドホンは、音量の強弱を調整するボリューム、ヘッドホンステレオ６０５のオン／オフを操作するストップ機構、回路機構などを内設したリモコン装置６０１に、コード６０３を介しヘッドホン６０２と、コード６０４を介しヘッドホンステレオ６０５と連接し、また、コード６０６を介しヘッドホンステレオ６０５と携帯電話機６０７を連接したものであり、ヘッドホン６０２をユーザの耳に当てることでヘッドホンステレオ６０５にて再生される音楽や、携帯電話機６０７より出力される通話音を聞くことができる。
【０００７】
【特許文献１】
特開２０００−１９６７２４号公報
【０００８】
【発明が解決しようとする課題】
ところで、図５で説明した携帯型電子機器では、音楽再生を行うと、ＣＰＵ５０２、音声生成部５０６、アンプ５０７の処理が増加することにより消費電力が増大することになり、商用交流電源が無くＡＣアダプタ５０８が使用できない室外などにおいては、内部電池５０３の電力により駆動され、内部電池５０３に蓄えられた電力が通常時以上に多く消費されることになる。電話機能および音楽再生機能を有する携帯型電子機器においては、電話機能を使用しようとする場合、音楽再生機能を利用した後では内部電池５０３に十分な電力が残っていない場合があり、電話機能を使用できない場合があるという問題点がある。
【０００９】
なお、特許文献１の携帯電話付ヘッドホンでは、ヘッドホンステレオ６０５の中に電池が内蔵されており、音楽再生により消費される電力は前記内蔵された電池から消費されるため、携帯電話機６０７に内蔵された電池を消耗させることがないが、携帯電話機６０７とヘッドホンステレオ６０５が個別にあるため、全体として形状が大きくなり、また、重量も重いため、持ち運びに不便である。しかし、図５に示す携帯型電子機器では携帯電話装置５０１に音楽再生機能が搭載されているので、形状が小さく、重量も軽く、持ち運びも便利になる。
【００１０】
本発明は上記のような課題を解決するためになされたもので、商用交流電源が無くＡＣアダプタなどの外部電源を使用できない場合において、音楽再生時には電話機能に使用する内部電池以外の電池を使用するようにし、内部電池の蓄積電力の減少を抑えることができる携帯型電子機器を提供することを目的とする。
【００１１】
【課題を解決するための手段】
上記目的を達成するために本発明は、所定機能を実現するための所定系回路、付属機能を実現するための付属系回路、および外部電源により充電可能で前記各回路に電力を供給する内部電池を備えた本体装置と、この本体装置に接続可能な付属装置とから構成される携帯型電子機器において、前記付属装置側に外部電池を設け、前記外部電源が接続されていない状態で、前記付属機能を動作させるときは前記本体装置の電源として用いられる電池を前記内部電池から前記外部電池に切り替え、少なくとも前記付属系回路に前記外部電池からの電力を供給する制御を行うと共に、前記外部電源が接続されたときは、前記外部電池に代わり前記外部電源からの電力を前記所定系回路と前記付属系回路と前記内部電池に供給する制御を行う電源切替制御手段を前記本体装置に設けたことを特徴とする携帯型電子機器を提供する。
【００１２】
この発明の携帯型電子機器によれば、前記外部電源が接続されていない状態で前記付属機能を動作させるときは、前記本体装置の電源は前記内部電池から前記外部電池に切り替えられ、前記付属系回路には前記外部電池からの電力が供給される。即ち、外部電源を使用できない場合において、付属機能の動作時には所定機能に使用する内部電池以外の外部電池が使用されるので、内部電池の蓄積電力の減少を抑えることができ、したがって、付属機能を使用した後でも、所定機能を使用することが可能になる。
【００１３】
また、前記外部電源が接続されたときは、前記外部電池に代わり前記外部電源からの電力が前記内部電池および前記付属系回路に供給されるので、前記内部電池が充電可能であれば充電され、また、前記付属系回路にも電力が供給される。また、前記所定系回路には、前記内部電池からの電力が供給され、前記内部電池が充電状態の時は前記外部電源からの電力が供給される。また、前記外部電池の電力は前記内部電池にも供給でき、前記内部電池を充電できる。また、前記外部電池の電力は前記所定系回路にも供給できるので、前記内部電池の蓄積電力が不足した場合でも、所定機能を使用することができる。
【００１４】
また、本発明は、携帯電話機能を実現するための電話系回路、音楽再生機能を実現するための音楽再生系回路、および外部電源により充電可能で前記各回路に電力を供給する内部電池を備えた携帯電話装置と、この携帯電話装置に接続可能な音声発生装置とから構成される携帯型電子機器において、前記音声発生装置側に外部電池を設け、前記外部電源が接続されていない状態で、音楽再生を行うときは前記携帯電話装置の電源として用いられる電池を前記内部電池から前記外部電池に切り替え、少なくとも前記音楽再生系回路に前記外部電池からの電力を供給する制御を行うと共に、前記外部電源が接続されたときは、前記外部電池に代わり前記外部電源からの電力を前記電話系回路と前記音楽再生系回路と前記内部電池に供給する制御を行う電源切替制御手段を前記携帯電話装置に設けたことを特徴とする携帯型電子機器を提供する。
【００１５】
この発明の携帯型電子機器によれば、前記外部電源が接続されていない状態で前記音楽再生を行うときは、前記携帯電話装置の電源は前記内部電池から前記外部電池に切り替えられ、前記音楽再生系回路には前記外部電池からの電力が供給される。即ち、外部電源を使用できない場合において、音楽再生時には電話機能に使用する内部電池以外の外部電池が使用されるので、内部電池の蓄積電力の減少を抑えることができ、したがって、音楽再生をした後でも、電話機能を使用することが可能になる。
【００１６】
また、前記外部電源が接続されたときは、前記外部電池に代わり前記外部電源からの電力が前記内部電池および前記音楽再生系回路に供給されるので、前記内部電池が充電可能であれば充電され、また、前記音楽再生系回路にも電力が供給される。また、前記電話系回路には、前記内部電池からの電力が供給され、前記内部電池が充電状態の時は、前記外部電源からの電力が供給される。また、前記外部電池の電力は前記内部電池にも供給でき、前記内部電池を充電できる。また前記外部電池の電力は前記電話系回路にも供給できるので、前記内部電池の蓄積電力が不足した場合でも、電話を使用することができる。
【００１７】
また、本発明の携帯型電子機器において、前記外部電池より一定の電圧を生成する一定電圧生成手段を、前記音声発生装置または前記携帯電話装置に設けたので、前記電話系回路および前記音楽再生系回路の動作電圧の安定化が図れる。
【００１８】
また、本発明の携帯型電子機器において、前記外部電池の出力電圧もしくは出力電流を検出する外部電池出力検出手段を、前記音声発生装置または前記携帯電話装置に設けたので、前記外部電池の出力電圧もしくは出力電流を検出することができる。
【００１９】
また、本発明の携帯型電子機器において、前記外部電池出力検出手段により検出された前記外部電池の出力電圧もしくは出力電流の値が予め定めた値以下になると、ユーザに通知する通知手段を前記音声発生装置または前記携帯電話装置に設けたので、ユーザは前記外部電池の交換時期を知ることができる。
【００２０】
【発明の実施の形態】
以下、添付図面を参照しつつ本発明の実施の形態について説明する。図１は本発明の一実施形態に係る携帯型電子機器の全体を示す斜視図である。図１において、１０１は本体装置としての携帯電話装置を示し、１０２は携帯電話装置１０１に接続可能で音楽再生時などに再生機能を制御することのできるリモコンを示す。このリモコン１０２には図示しない電池が内蔵されている。１０３は携帯電話装置１０１において再生された音楽を聴くためのヘッドホンを示し、即ち、ヘッドホン１０３はリモコン付きヘッドホンである。１０４はリモコン１０２およびヘッドホン１０３を携帯電話装置１０１に接続するためのコネクタを示す。１０５はリモコン１０２とヘッドホン１０３を接続するケーブルを示し、１０６はリモコン１０２とコネクタ１０４を接続するケーブルを示す。
【００２１】
図２は本発明の一実施形態に係る携帯型電子機器の電気的構成を示すブロック図である。図２において、２０１は携帯電話装置（図１中の携帯電話装置１０１に相当）を示し、２１０は携帯電話装置２０１に接続可能なリモコン付きヘッドホンを示す。このリモコン付きヘッドホン２１０は携帯電話装置２０１の付属装置である音声発生装置に相当する。携帯電話装置２０１とリモコン付きヘッドホン２１０とはケーブル２１７により接続される。
【００２２】
携帯電話装置２０１は、この装置内の各回路などを制御するＣＰＵ２０２、この装置内の各回路に電力を供給する内部電池２０３と、この内部電池２０３を充電するための充電制御を行うとともに装置内の各回路に電力を供給するための制御を行う電源制御部２０４と、この電源制御部２０４に与える電源を切り替える切り替え部２０５とを備えている。なお、電源制御部２０４の機能の一部はＣＰＵ２０２により制御される。
【００２３】
また、携帯電話装置２０１は、携帯電話機能を実現するための電話系回路２０１ａと、ＣＰＵ２０２により制御され携帯電話に関する情報などを表示する表示部２０６と、図示しないメモリに記憶された音楽用データをＣＰＵ２０２を介して入力し音声信号を生成する音声生成部２０７と、この音声生成部２０７で生成された音声信号を音声化してヘッドホンなどで聴くことができるように音声信号を増幅するアンプ２０８とを備えている。音声生成部２０７およびアンプ２０８は音楽再生機能を実現するための音楽再生系回路２０１ｂに含まれる。２０９は携帯電話装置２０１に内蔵された内部電池２０３などに電力を供給するための外部電源としてのＡＣアダプタである。
【００２４】
リモコン付きヘッドホン２１０は、アンプ２０８より出力された音声信号を音声化するヘッドホン２１３と、携帯電話装置２０１に対して操作を行うことのできるリモコン制御部２１２と、外部電池２１１と、この外部電池２１１より一定電圧を生成する電圧変換器２１４と、外部電池２１１の出力電圧をモニタする電圧検出器２１５と、この電圧検出器２１５で検出された値が予め設定された値以下になると点灯されるＬＥＤ（発光ダイオード）２１６とを備えている。このＬＥＤ２１６が点灯することにより、ユーザは外部電池２１１の電池残量が少なくなったことを知ることができ、ひいては外部電池２１１の交換を促すことができる。なお、外部電池２１１の出力電圧をモニタする電圧検出器２１５の代わりに外部電池２１１の出力電流をモニタする電流検出器を設けても良い。
【００２５】
次に本実施形態において電池の切り替え動作について図４に示すフローチャートを参照して説明する。商用交流電源が無くＡＣアダプタ２０９が使用できない室外などにおいて、リモコン１０２の音楽再生スタートキーを押下する（ステップＳ１）。次に、外部電池２１１がリモコン付きヘッドホン２１０に接続されているか否かを判定し（ステップＳ２）、外部電池２１１が接続されている場合はその出力電圧が指定値以上であるか否かを電圧検出器２１５により判定する（ステップＳ３）。
【００２６】
外部電池２１１の出力電圧が指定値以上であるとき、外部電池２１１側を有効にする（ステップＳ４）。即ち、外部電池２１１の出力電圧は電圧変換器２１４で一定にされ、切り替え部２０５に供給される。切り替え部２０５は、外部電池２１１側を選択し、電圧変換器２１４からの一定電圧の電力を、電源制御部２０４を介してＣＰＵ２０２、表示部２０６、音声生成部２０７、およびアンプ２０８に供給する。これにより、音楽再生がスタートすることができる（ステップＳ５）。
【００２７】
外部電池２１１の出力電圧が指定値未満であるとき、電圧検出器２１５は電池残量警告用のＬＥＤ２１６を点灯させる（ステップＳ６）。そして、切り替え部２０５は外部電池２１１からの電力を遮断し、電源制御部２０４は内部電池２０３側を有効にする（ステップＳ７）。即ち、電源制御部２０４は、内部電池２０３の出力電力をＣＰＵ２０２、表示部２０６、音声生成部２０７、およびアンプ２０８に供給する。これにより、音楽再生がスタートすることができる（ステップＳ５）。
【００２８】
なお、商用交流電源が有り、ＡＣアダプタ２０９の出力電力が切り替え部２０５に供給された場合は、切り替え部２０５はＡＣアダプタ２０９側を選択し、その出力電力を電源制御部２０４に供給する。これにより、電源制御部２０４は、ＡＣアダプタ２０９の出力電力を内部電池２０３に供給し、内部電池２０３を充電する。また、電源制御部２０４は、ＡＣアダプタ２０９の出力電力をＣＰＵ２０２、表示部２０６、音声生成部２０７、およびアンプ２０８に供給することにより、音楽再生を可能にする。
【００２９】
また、電源制御部２０４は、ＡＣアダプタ２０９の出力電力を電話系回路２０１ａに供給することにより、内部電池２０３の蓄積電力が無くても電話を可能にする。内部電池２０３の充電が完了して、ＡＣアダプタ２０９が外された場合は電話系回路２０１ａには内部電池２０３からの電力が供給され、電話を可能にする。また、ＡＣアダプタ２０９が使用できず、内部電池２０３の蓄積電力が無くなった場合は、電源制御部２０４は外部電池２１１からの電力を電話系回路２０１ａに供給するので、電話が可能になる。
【００３０】
ここで、商用交流電源が無くＡＣアダプタが使用できない室外などにおいて、ヘッドホンにより音楽を聴く場合の動作について説明する。
【００３１】
図１に示すように、ヘッドホン１０３により音楽を聴くときは、コネクタ１０４を携帯電話装置１０１と接続する。図２において、商用交流電源が無くＡＣアダプタ２０９は使用できないので、切り替え部２０５は外部電池２１１側を選択する。即ち、切り替え部２０５は、外部電池２１１の出力電圧を一定にした電圧変換部２１４の出力電力を入力して電源制御部２０４に与える。これにより、電源制御部２０４は、ＣＰＵ２０２、表示部２０６、音声生成部２０７、およびアンプ２０８に電力を供給する。
【００３２】
そして、音楽を再生する場合、ユーザはリモコン１０２を操作して音楽の曲名を表示部２０６に表示させ、この表示された曲名から聴きたい曲名を選び出し、この曲名情報をリモコン制御部２１２からＣＰＵ２０２に与える。これにより、ＣＰＵ２０２は、図示しないメモリに記憶された音楽データの中から前記曲名情報に対応する音楽データを読み出し、この音楽データを音声生成部２０７で音声信号にしてアンプ２０８に入力する。アンプ２０８は、入力された音声信号を増幅し、この増幅した音声信号をヘッドホン２１３に与え、これにより、ヘッドホン２１３は駆動して音楽の音声を出力し、ユーザは音楽を聴くことになる。
【００３３】
このように、ヘッドホン２１３で音楽を聴く場合は、携帯電話装置２０１内の内部電池２０３を用いず、リモコン付きヘッドホン２１０内の外部電池２１１からの電力がＣＰＵ２０２、表示部２０６、音声生成部２０７、およびアンプ２０８に供給される。したがって、音楽を聴いている間は携帯電話装置２０１内の内部電池２０３の蓄積電力が減少することがないので、音楽を聴いた後でも、電話が可能になる。
【００３４】
図３は本発明の他の実施形態に係る携帯型電子機器の電気的構成を示すブロック図である。図３において、３０１は本体装置としての携帯電話装置（図１中の携帯電話装置１０１に相当）を示し、３１０は携帯電話装置３０１に接続可能な音声発生装置（付属装置）としてのリモコン付きヘッドホン（図１中のリモコン１０２およびヘッドホン１０３に相当）を示す。携帯電話装置３０１とリモコン付きヘッドホン３１０とはケーブル３１７により接続される。
【００３５】
携帯電話装置３０１は、携帯電話機能を実現するための電話系回路３０１ａと、この装置内の各回路などを制御するＣＰＵ３０２、この装置内の各回路に電源を供給する内部電池３０３と、この内部電池３０３を充電するための充電制御を行うとともに装置内の各回路に電力を供給するための制御を行う電源制御部３０４と、この電源制御部３０４に与える電源を切り替える切り替え部３０５とを備えている。なお、電源制御部３０４の機能の一部はＣＰＵ３０２により制御される。
【００３６】
また、携帯電話装置３０１は、ＣＰＵ３０２により制御され携帯電話に関する情報などを表示する表示部３０６と、図示しないメモリに記憶された音楽用データをＣＰＵ３０２を介して入力し音声信号を生成する音声生成部３０７と、この音声生成部３０７で生成された音声信号を音声化してヘッドホンなどで聴くことができるように音声信号を増幅するアンプ３０８とを備えている。音声生成部３０７およびアンプ３０８は音楽再生機能を実現するための音楽再生系回路３０１ｂに含まれる。３０９は携帯電話装置３０１に内蔵された内部電池３０３に電力を供給するための外部電源としてのＡＣアダプタである。
【００３７】
リモコン付きヘッドホン３１０は、アンプ３０８より出力された音声信号を音声化するヘッドホン３１３と、携帯電話装置３０１に対して操作を行うことのできるリモコン制御部３１２と、外部電池３１１とを備えている。
【００３８】
携帯電話装置３０１は、前述した構成要素の他に、前記外部電池３１１より一定電圧を生成する電圧変換器３１４と、外部電池３１１の出力電圧をモニタする電圧検出器３１５とを備えている。電圧変換器３１４および電圧検出器３１５を携帯電話装置３０１に内蔵することにより、リモコン付きヘッドホン３１０を小型化することができる。電圧検出器３１５で検出された値が予め設定された値以下になると、ＣＰＵ３０２は、表示部３０６に外部電池３１１の電池残量が少なくなったことを表示し、ユーザに知らせることができ、ひいては外部電池３１１の交換を促すことができる。なお、外部電池３１１の出力電圧をモニタする電圧検出器３１５の代わりに外部電池３１１の出力電流をモニタする電流検出器を設けても良い。
【００３９】
ここで、商用交流電源が無くＡＣアダプタが使用できない室外などにおいて、ヘッドホンにより音楽を聴く場合の動作について説明する。
【００４０】
図１に示すように、ヘッドホン１０３により音楽を聴くときは、コネクタ１０４を携帯電話装置１０１と接続する。図３において、商用交流電源が無くＡＣアダプタ３０９は使用できないので、切り替え部３０５は外部電池３１１側を選択する。即ち、切り替え部３０５は、外部電池３１１の出力電圧を一定にした電圧変換部３１４の出力電力を入力して電源制御部３０４に与える。これにより、電源制御部３０４は、ＣＰＵ３０２、表示部３０６、音声生成部３０７、およびアンプ３０８に電力を供給する。
【００４１】
そして、音楽を再生する場合、ユーザはリモコン１０２を操作して音楽の曲名を表示部３０６に表示させ、この表示された曲名から聴きたい曲名を選び出し、この曲名情報をリモコン制御部３１２からＣＰＵ３０２に与える。これにより、ＣＰＵ３０２は、図示しないメモリに記憶された音楽データの中から前記曲名情報に対応する音楽データを読み出し、この音楽データを音声生成部３０７で音声信号にしてアンプ３０８に入力する。アンプ３０８は、入力された音声信号を増幅し、この増幅した音声信号をヘッドホン３１３に与え、これにより、ヘッドホン３１３は駆動して音楽の音声を出力し、ユーザは音楽を聴くことになる。
【００４２】
このように、ヘッドホン３１３で音楽を聴く場合は、携帯電話装置３０１内の内部電池３０３を用いず、リモコン付きヘッドホン３１０内の外部電池３１１からの電力がＣＰＵ３０２、表示部３０６、音声生成部３０７、およびアンプ３０８に供給される。したがって、音楽を聴いている間は携帯電話装置３０１内の内部電池３０３の蓄積電力が減少することがないので、音楽を聴いた後でも、電話が可能になる。
【００４３】
【発明の効果】
以上のように本発明によれば、外部電源が接続されていない状態で付属機能を動作させるときは、本体装置の電源は内部電池から外部電池に切り替えられ、付属系回路には前記外部電池からの電力が供給される。即ち、外部電源を使用できない場合において、付属機能の動作時には所定機能に使用する内部電池以外の外部電池が使用されるので、内部電池の蓄積電力の減少を抑えることができ、したがって、付属機能を使用した後でも、所定機能を使用することが可能になる。
【００４４】
また、本発明によれば、外部電源が接続されていない状態で音楽再生を行うときは、携帯電話装置の電源は内部電池から外部電池に切り替えられ、音楽再生系回路には前記外部電池からの電力が供給される。即ち、外部電源を使用できない場合において、音楽再生時には電話機能に使用する内部電池以外の外部電池が使用されるので、内部電池の蓄積電力の減少を抑えることができ、したがって、音楽再生をした後でも、電話を使用することが可能になる。
【図面の簡単な説明】
【図１】本発明の一実施形態に係る携帯型電子機器の全体を示す斜視図である。
【図２】本発明の一実施形態に係る携帯型電子機器の電気的構成を示すブロック図である。
【図３】本発明の他の実施形態に係る携帯型電子機器の電気的構成を示すブロック図である。
【図４】本発明の一実施形態に係る携帯型電子機器における電池の切り替え動作を説明するためのフローチャートである。
【図５】従来の携帯型電子機器の電気的構成を示すブロック図である。
【図６】特許文献１に示される携帯電話機付きヘッドホンの斜視図である。
【符号の説明】
１０１，２０１，３０１    携帯電話装置
２０１ａ，３０１ａ    電話系回路
２０１ｂ，３０１ｂ    音声再生系回路
２０９，３０９    ＡＣアダプタ（外部電源）
２１０，３１０    リモコン付きヘッドホン（音声発生装置）
２０３，３０３    内部電池
２０４，３０４    電源制御部（電源切替制御手段）
２０５，３０５    切り替え部（電源切替制御手段）
２１１，３１１    外部電池
２１４，３１４    電圧変換器（一定電圧生成手段）
２１５，３１５    電圧検出器（外部電池出力検出手段）
２１６    ＬＥＤ（通知手段）
３０６    表示部（通知手段）
【図１】
2004164263.tif 000003
【図２】
2004164263.tif 000004
【図３】
2004164263.tif 000005
【図４】
2004164263.tif 000006
【図５】
2004164263.tif 000007
【図６】
2004164263.tif 000008